(57)【要約】【課題】枠体全体が嵩張らず、折畳んで、従来のものよりもコンパクトに納めることができる簡易トイレを提供する。【解決手段】枠状に形成されると共に折畳可能に構成された枠体１０と、該枠体１０に被せられて枠体１０の内側にて排泄物を収容する袋体２０とを備え、跨ぎしゃがんで使用されることを特徴とする簡易トイレ１００。前記枠体１０は、上方に突出する突片１１を備えるものであることを特徴とする簡易トイレ１００。前記袋体２０は、前記枠体１０に貼着されていることを特徴とする簡易トイレ１００。【選択図】図２
2006223725.tif 000002
【特許請求の範囲】
【請求項１】
枠状に形成されると共に折畳可能に構成された枠体と、
該枠体に被せられて枠体の内側にて排泄物を収容する袋体と
を備え、
跨ぎしゃがんで使用されることを特徴とする簡易トイレ。
【請求項２】
前記枠体は、上方に突出する突片を備えるものであることを特徴とする請求項１に記載の簡易トイレ。
【請求項３】
前記袋体は、前記枠体に貼着されていることを特徴とする請求項１または請求項２に記載の簡易トイレ。
【発明の詳細な説明】
【技術分野】
【０００１】
本発明は、簡易トイレに関するものであり、詳しくは、不使用時には折畳んでコンパクトに納めておくことができ、屋外でのレジャー時や災害等の非常時等において好適に使用できる簡易トイレに関するものである。
【背景技術】
【０００２】
屋外でのレジャー時や、災害等の非常時等においては、常設されたトイレを用いて大便や小便等の排泄物を排泄する排泄行為を行うのではなく、ポリ袋やビニール袋等の袋体を用いて排泄行為を行うことがある。ここで、袋体を地面や床面に単に置いただけでは、袋体の開口部が大きく開口した状態で安定させることができないため、排泄物を袋の中に的確に排泄することができず、不便である。そこで、従来、袋体の姿勢を保持する枠となる枠体に袋体を装着して、袋体を安定した状態で使用できるようにした簡易トイレが種々案出されている。そして、このような簡易トイレとして、上記枠体を段ボール紙等の紙材等により折畳可能に形成し、コンパクトに折畳むことができ、携帯し易く、また、非常時に備えて保管し易くしたものも案出されている。
【０００３】
【特許文献１】実用新案登録第３０５０１４４号公報
【発明の開示】
【発明が解決しようとする課題】
【０００４】
しかしながら、従来から種々案出されている簡易トイレは、使用者が着座して使用できるように便座をも備えたものであり、便座を備える分だけ、嵩張るものであった。また、枠体を、着座しても耐え得るように堅固に形成しなければならないことから、紙等の脆弱な材質により形成する場合に、厚い素材を採用したり、複数層に重ね合わせた構造としたり、多数の箇所にて折り曲げて強度を確保すべく多量の素材を使用したりせざるを得ず、枠体全体の量が嵩張るものであった。
【０００５】
本発明は、上記実状を鑑みてなされたものであり、枠体全体が嵩張らず、折畳んで、従来のものよりもコンパクトに納めることができる簡易トイレの提供を課題とする。
【課題を解決するための手段】
【０００６】
上記課題を解決するために本発明の採った主要な手段は、
「枠状に形成されると共に折畳可能に構成された枠体と、
該枠体に被せられて枠体の内側にて排泄物を収容する袋体と
を備え、
跨ぎしゃがんで使用されることを特徴とする簡易トイレ」
である。
【０００７】
上記構成の簡易トイレは、跨ぎしゃがんで使用されるものであるため、枠体としては、袋体を安定した姿勢で保持できる枠として機能するものであればよく、使用者の着座に絶え得る程の強度を必要としない。このため、枠体を、従来のものよりも薄い素材や量の少ない素材によって簡易に形成することが可能となる。従って、上記構成の簡易トイレによれば、枠体全体が嵩張らず、折畳んで、従来のものよりもコンパクトに納めることができる。
【０００８】
なお、枠体を形成する素材としては、折り曲げたり、湾曲させて起立させることで、自立できる程度の剛性を有する板状やシート状の素材を採用することができ、代表的に、段ボール、ボール紙、画用紙程度の厚紙等の紙材、ポリエチレンや塩化ビニール等の樹脂材、アルミニウム合金等の軽量な金属材等を例示することができる。
【０００９】
また、枠体は、被せられた袋体が、その開口部を大きく開口した状態で安定した姿勢に保持する袋体の枠として機能するものであればよく、その形態を限定するものではないが、両端部分が予め相互に連結された平板状の素材からなり、組立てた状態で環状となるもの、両端部分が相互に分離された平板状の素材からなり、組立てに際して両端部分が連結されて環状となるもの、両端が相互に分離された平板状の素材からなり、組立てた状態においても両端部分が相互に連結されずに、コ字状、Ｕ字状或いはＶ字状等のように、一部が開放された枠状となるもの等を例示することができる。
【００１０】
一方、袋体としては、ポリエチレンや塩化ビニール等の樹脂、或いは、紙等、適宜の素材により、一部が開口する袋状に形成されたものであればよいが、排泄物の水分が外側に漏出しないように、樹脂製の防水シート等を用いて形成するのが望ましい。また、排泄物の水分を袋体内部にて保持できるように、内部に吸水ポリマー等の吸水材を具備するものが望ましい。
【００１１】
上述した手段において、
「前記枠体は、上方に突出する突片を備えるものであることを特徴とする簡易トイレ」
としてもよい。
【００１２】
男性でも女性でも、しゃがんで排泄行為を行うと、小便が前方に飛散することがある。これに対して、上記構成の簡易トイレでは、使用に際して、枠体の突片が前方に位置するように配置することで、しゃがんで排泄行為を行う際に前方に飛散する小便を、上記突片によって受止めることができる。よって、使用に際して、周囲を汚し難い簡易トイレとすることができる。
【００１３】
上述した手段において、
「前記袋体は、前記枠体に貼着されていることを特徴とする簡易トイレ」
としてもよい。
【００１４】
上記構成の簡易トイレでは、袋体が枠体に貼着されているため、枠体に袋体を被せる際に、枠体に対する袋体の位置が大きくずれることはない。よって、枠体に袋体を的確に被せることができる。また、枠体と袋体とが一体となった簡易トイレとなるため、複数人が使用する場合に、枠体から袋体を外し、新たな袋体を装着して枠体を繰り返し使用するといったような使用態様がなされない。よって、汚物が付着した枠体に対して、新たな袋体を被せて繰り返し使用するといった非衛生的な使用を防止できる。
【発明の効果】
【００１５】
上述した通り、本発明によれば、枠体全体が嵩張らず、折畳んで、従来のものよりもコンパクトに納めることができる簡易トイレを提供することができる。
【発明を実施するための最良の形態】
【００１６】
本発明に係る簡易トイレの実施形態としての一例を、以下、図面に従って詳細に説明する。
【００１７】
図１に、本発明に係る簡易トイレ１００の一例を示す。なお、図１では、枠体１０及び袋体２０の形態が明確となるように、折畳まれた枠体１０を組立て、この組立てた枠体１０の上方に袋体２０を配置した分解状態を示す。
【００１８】
枠体１０は、両端部分が接着剤や金具等によって予め連結された平板状の一枚の紙材から形成されており、組立てた状態では、略長方形の環状の形態となった枠状となる。また、枠体１０は、詳細は後述するが、枠体１０の略長方形の角部に設けられた折り目１０ａ、及び、略長方形の長辺の中央部分に設けられた折り目１０ｂにて折り曲げることで、全体が小さな平板状となるように、コンパクトに折畳まれるものである。なお、本例では、紙材として段ボール紙を採用しているが、これに限らず、ボール紙や画用紙適度の厚紙を採用してもよい。また、紙材に限らず、他の素材を採用してもよい。
【００１９】
また、枠体１０は、略長方形の短辺の一つに対応する部分に、上方に突出する突片１１を有しており、この突片１１の上端部分に、貼着媒体４０を介して袋体２０が貼着されている。ここで、袋体２０は、一辺が開口部２１となるように矩形の袋状に形成されており、開口部２１の端縁部分の一部が枠体１０に貼着されている。なお、本例では、貼着媒体４０として、両面に粘着剤を具備する所謂「両面テープ」を採用しているが、接着剤や、ステープル等の止め金具等を採用してもよい。また、枠体１０に袋体２０を貼着する手段としては、貼着媒体４０を介する手段に限らず、袋体２０を樹脂により形成した場合には、袋体２０自体を溶融して接着を行う所謂「溶着」による手段であってもよい。
【００２０】
ところで、袋体２０は、詳細な図示は省略するが、ポリエチレン等の樹脂により形成された防水シートと、吸水ポリマー等によって形成された吸水シート３０と、不織布や織布によって形成された透水シートとを順次重ねて折返し、折返し部分を底とし、側辺部分を溶着によって接合して形成されている。よって、袋体２０は、外面が防水シートにより構成され、内面が透水シートにより構成され、防水シートと透水シートとの間に吸水シート３０が内蔵された袋状となっている。また、本例では、袋体２０の側辺において、開口部２１の端部から底に向かって適宜寸法分が未接合となっており、袋体２０全体としては、開口部２１から適宜寸法の切欠き２２が設けられた形態となっている。このような袋体２０では、切欠き２２により、開口部２１を大きく開口させることができる。
【００２１】
次に、図２に、組立てられた枠体１０に袋体２０を被せて簡易トイレ１００とした状態を示す。
【００２２】
袋体２０を枠体１０に被せる際には、環状の枠状となった枠体１０の内側に袋体２０の底部分を納め、袋体２０の開口部２１を広げて、枠体１０の内側から外側へと折り返す。この時、上述の通り、切欠き２２によって袋体２０を大きく開口させることができるため、枠体１０への袋体２０の装着を円滑に行うができる。また、枠体１０に袋体２０が貼着されているため、枠体１０に対して袋体２０が大きくずれることがなく、袋体２０を枠体１０に的確に被せることができる。
【００２３】
このように枠体１０に袋体２０を被せると、袋体２０の底の部分が枠体１０の内側に納まり、使用に際して、枠体２０の内側の袋体２０に排泄物を良好に収容させることができる。また、枠体１０は、突片１１を備えており、袋体２０は、この突片１１の外面に貼着されていることから、突片１１の上端にて外側から内側へと折り返されて、突片１１を覆うようにして枠体１０に装着される。このため、この簡易トイレ１００では、袋体２０が、枠体１０の突片１１を含めて枠体１０全体を被覆して、袋体２０全体にて、和式便器のような形態となる。よって、しゃがんで排泄行為を行う際に前方に飛散する小便を受止めることができる。
【００２４】
なお、袋体２０の吸水シート３０を、枠体１０に袋体２０を被せた状態で、枠体１０の外側に十分に延出可能な大きさとすると、枠体１０の外側に飛び散った小便等の汚物を吸収することができ、好適である。一方、袋体２０の吸水シート３０を、枠体１０に袋体２０を被せた状態で、枠体１０の内側にすっきりと納まる大きさとすると、吸収シート３０が少なくなる分だけ、袋体２０の嵩を減少させることができ、簡易トイレ１００全体を折畳んでコンパクトに納める場合に、さらなるコンパクト化を図ることができることから、好適である。
【００２５】
ところで、本例の簡易トイレ１００では、袋体２０が枠体１０の一部に貼着されているだけであることから、枠体１０と袋体２０とを容易に分離することができる。よって、廃棄に際して、樹脂により形成された袋体２０と、紙により形成された枠体１０とを分別し易いといった利点を得ることができる。
【００２６】
なお、これに限らず、枠体１０の複数箇所或いは全周に渡って袋体１０を貼着してもよい。この場合には、袋体２０を枠体１０に、より一層、円滑に装着できるといった利点を得ることができる。特に、枠体１０の内面に袋体２０の外面を、周方向に沿って貼着する等して、枠体１０の状態が、折畳んだ状態及び組立てた状態の何れの状態であっても、常時、枠体１０の内側に袋体２０の底部分が位置するようにすると、枠体１０を折畳んだ状態から組立てることで、自動的に、枠体１０の内側に袋体２０が装着された状態となる。よって、簡易トイレ１００を組立てる際の手順を簡便化することができ、好適である。
【００２７】
また、本例では、図１に示すように、枠体１０の突片１１の下端に折り目１１ａが設けられており、突片１１を折り曲げることで、枠体１０を折畳んだ状態において、全体のさらなるコンパクト化が図られている。しかしながら、このような構造では、突片１１が不用意に倒れる虞がある。そこで、本例では、図３に示すように、保持片１２が設けられており、この保持片１２によって、突片１１が不用意に倒れることが防止されている。具体的に、保持片１１は、枠体１０の一部に設けられた切込みによって、枠体１０全体とは別途に折り曲げ可能に形成されている。また、保持片１２は、先端に差込部を有している。突片１１の倒れを防止する際には、保持片１２を突片１１側へと折り曲げて（図３の矢印Ａ）、突片１１に設けられた差込口１４に差込部１３を差し込む。この保持片１２によって、突片１１が倒れ易くても、突片１１の姿勢を安定して保持させることができる。
【００２８】
次に、枠体１０を折畳む状態を図４に基づいて説明する。なお、図示では、枠体１０の折畳み状態が明確となるように、説明の便宜上、枠体１０に貼着された袋体２０を省略している。
【００２９】
枠体１０を折畳む際には、まず、上述の保持片１２による突片１１の保持を解除し、図４（ａ）に示すように、枠体１０の突片１１を、下端部分の折り目１１ａに沿って外側へと折り曲げる（図４の矢印Ａ）。また、枠体１０の略長方形の長辺部分を、角部の折り目１０ａ及び中央部分の折り目１０ｂに沿って、内側に折り曲げる（図４の矢印Ｂ）。すると、図４（ｂ）に示すように、枠体１０の全体が、略長方形の短辺部分程度の小さな略平板状となり、コンパクトに納まる。
【００３０】
このように枠体１０をコンパクトに折畳んだ上で、図５に示すように、さらに袋体２０を、枠体１０全体を包むように、例えば、両側辺部分を図示２鎖線に沿って枠体１０側に折り返し（図５の矢印Ａ）、底部分を図示２鎖線に沿って枠体１０側に折り返す（図５の矢印Ｂ）等して、適宜な折畳み方で折畳めば、不使用時において、簡易トイレ１００全体をコンパクトに納めることができる。そして、簡易トイレ１００を使用する際には、上述の折畳み方を逆に展開して、枠体１０を組立て、組立てた枠体１０に袋体２０を被せればよい。ここで、枠体１０は、平板状の紙材の両端部分を連結して環状となっていることから、折畳まれた状態の枠体１０を、環状の対向する部分を相互に離間するように引っ張るだけで組立てることができ、枠体１０の組立作業が簡便となっている。
【００３１】
なお、枠体１０の折畳み方は上述に限らず、適宜変更が可能である。例えば図６に示すような折畳み方であってもよい。この例では、図６（ａ）に示すような枠体１０を組立てた状態から、図６（ｂ）に示すように、突片１１を折り目１１ａに沿って外側に折り曲げるのは上述と同様であるが（図６の矢印Ａ）、枠体１０の長辺部分の折り曲げ方が異なる。すなわち、この例では、枠体１０の長辺部分を、角部の折り目１０ａ及び中央部分の折り目１０ｂに沿って、外側に折り曲げる（図６の矢印Ｂ）。このように長辺部分を折り曲げた上で、さらに、図６（ｃ）に示すように、角部の折り目１０ａに沿って、長辺部分を内側に折り曲げる（図６の矢印Ｃ）。このような折り曲げ方であっても、枠体１０全体をコンパクトに納めることができる。また、詳細な説明は省略するが、枠体１０に、他の形態の折り目を設けて、この折り目に沿った折畳み方としてもよい。
【００３２】
次に、枠体１０及び袋体２０の具体的な寸法を説明する。
【００３３】
枠体１０は、突片１１を除く全体の高さが、３０〜２５０ｍｍ（より好適には、５０〜２００ｍｍ）であり、略長方形の短辺が１００〜３００ｍｍ（より好適には、１５０〜２５０ｍｍ）で長辺がその２倍の２００〜６００ｍｍ（より好適には、３００〜５００ｍｍ）であると、袋体１０の姿勢を安定して保持でき、しかも、使用者が跨ぎしゃがんで使用し易い。また、枠体１０の突片１１については、枠体１０における短辺に相当する部分の幅及び高さと同程度で、１００〜３００ｍｍ（より好適には、１５０〜２５０ｍｍ）であると、突片１１が無用に大きくならず、折畳んでコンパクトに納める上で、好適である。
【００３４】
特に、枠体１０が、突片１１を除く全体の高さが６０〜１００ｍｍであり、略長方形の短辺が１２５〜１７５ｍｍで長辺がその２倍の２５０〜３５０ｍｍであると、使用に不便のない程度の大きさが十分に確保されてはいるが、比較的、小型の簡易トイレ１００となる。このような簡易トイレ１００は、折畳んで極めてコンパクトに納めることができることから、屋外のレジャー等において、１人或いは２人程度の少人数が緊急時に使用する携帯用の簡易トイレ１００としての利用価値に優れる。
【００３５】
また、枠体１０が、突片を除く全体の高さが１２５〜１７５ｍｍであり、略長方形の短辺が１７５〜２２５ｍｍで長辺がその２倍の３５０〜４５０ｍｍであると、無用に大きなものではないが、比較的、大型の簡易トイレ１００となる。このような簡易トイレ１００は、３人以上の多人数、或いは、３回以上の多数回の使用によって排泄されたある程度量の多い排泄物を収容できることから、災害等の非常時に備えた簡易トイレ１００や、老人や病人の介護等に際して用いる簡易トイレ１００としての利用価値に優れる。
【００３６】
一方、袋体２０の大きさとしては、組立てた枠体１０に対して、必要十分な大きさであればよく、開口部２１から底までの深さが、枠体１０の突片１１を除く全体の高さの２〜５倍（より好適には、３〜４倍）で、袋体１０周りの全周の寸法が、枠体１０の全周と同程度であればよい。また、開口部２１の切欠き２２の寸法としては、袋体２０における開口部２１の端縁から底までの深さに対して２５〜７５％（より好適には、４０〜５０％）であれば、袋としての十分な深さを確保できると共に、開口部２１を十分に大きく開口させることができる。
【００３７】
以上、本発明に係る簡易トイレの一例を示したが、本発明はこれに限らず、本発明の要旨を逸脱しない範囲で、適宜の変更が可能である。
【００３８】
例えば、枠体を平板状の一枚の紙材によって形成するに限らず、２枚または３枚以上の複数の紙材を相互に連結して枠体を構成してもよい。また、複数の平板状の紙材を相互に連結したり、枠体を構成する紙材の両端部分を相互に連結する手法としては、接着剤や止め金具を用いた手法に限らず、相互に連結される部位の夫々に切欠きを設けて、各切欠きを相互に掛止させてもよく、或いは、一方に差込片を、他方に差込口を設けて、差込口に差込片を差し込むことで連結してもよい。また、枠体は、予め環状に形成されたものに限らず、組立てると環状となるものであってもよく、さらには、組立てても環状とならず、一部が開放された枠状となるものであってもよい。
【図面の簡単な説明】
【００３９】
【図１】本発明に係る簡易トイレの一例を示す分解斜視図である。
【図２】図１に示した簡易トイレを組立てた状態を示す斜視図である。
【図３】枠体の保持片を示す斜視図である。
【図４】枠体を折畳む状態の一例を示す斜視図である。
【図５】袋体を折畳む状態の一例を示す平面図である。
【図６】枠体を折畳む状態の別例を示す斜視図である。
【符号の説明】
【００４０】
１０  枠体
１０ａ  折り目
１０ｂ  折り目
１１  突片
１１ａ  折り目
１２  保持片
１３  差込部
１４  差込口
２０  袋体
２１  開口部
２２  切欠き
３０  吸水シート
４０  貼着媒体
１００  簡易トイレ
【図１】
2006223725.tif 000003
【図２】
2006223725.tif 000004
【図３】
2006223725.tif 000005
【図４】
2006223725.tif 000006
【図５】
2006223725.tif 000007
【図６】
2006223725.tif 000008